(57)【要約】【課題】  表示器にサムネイル画像を高速に表示できる画像処理装置を提供する。【解決手段】コピーファクシミリ複合機１０は、画像縮小部３１と、コーデック２３と、ＳＤＲＡＭ２６と、ＬＣＤ１８と、サブシステム６０と、ＵＳＢインタフェース２７と、変換部６２と、を備える。画像縮小部３１は、画像データから縮小画像データを作成する。コーデック２３は、縮小画像データから縮小画像ファイルを作成する。ＳＤＲＡＭ２６には、縮小画像ファイルと、画像データから作成される実画像ファイルと、が関連付けて記憶される。ＬＣＤ１８は、縮小画像ファイルの内容を表示可能に構成される。サブシステム６０は、ＬＣＤ１８を制御する。ＳＤＲＡＭ２６から読み出された縮小画像ファイルは、ＵＳＢインタフェース２７を介してサブシステム６０に転送される。転送された縮小画像ファイルの信号は、ＬＣＤ１８への表示のために、変換部６２によって変換される。【選択図】図１
2009118381.tif 000002
【特許請求の範囲】
【請求項１】
画像データから縮小画像データを作成する画像縮小部と、
前記縮小画像データから縮小画像ファイルを作成する符号変換部と、
前記縮小画像ファイルと、前記画像データから作成される実画像ファイルと、を関連付けて記憶する記憶部と、
前記縮小画像ファイルの内容を表示できる表示器と、
前記表示器を制御するための表示制御部と、
前記記憶部から読み出した前記縮小画像ファイルを前記表示制御部に転送するための転送部と、
前記表示制御部に転送された前記縮小画像ファイルの内容を前記表示器に表示するために信号を変換する変換部と、
を備える画像処理装置。
【請求項２】
請求項１に記載の画像処理装置であって、
転送された前記縮小画像ファイルの内容を更に縮小して表示するための表示画像縮小部を備えることを特徴とする画像処理装置。
【請求項３】
請求項２に記載の画像処理装置であって、
前記表示画像縮小部は縮小後の画像サイズを変更できるように構成され、
前記表示制御部は、前記表示画像縮小部により縮小された後の画像サイズに応じて前記表示器に表示させる縮小画像の数を変更できることを特徴とする画像処理装置。
【請求項４】
請求項１から３までの何れか一項に記載の画像処理装置であって、
前記転送部はシリアルインタフェースで構成されることを特徴とする画像処理装置。
【発明の詳細な説明】
【技術分野】
【０００１】
本発明は画像処理装置に関するものであり、詳細には、表示器にサムネイル画像を表示可能な構成の画像処理装置に関するものである。
【背景技術】
【０００２】
従来から、ファクシミリ装置等の画像処理装置において、各種情報を表示可能な表示器を備えるとともに、画像処理装置本体等に保存される画像ファイルのサムネイル画像を当該表示器に表示可能な構成のものが知られている。サムネイル画像が表示器に表示されることによって、ユーザはファクシミリの受信内容等を速やかに把握できる。
【０００３】
このようなサムネイル画像を表示する画像処理装置を開示するものとして特許文献１及び特許文献２がある。特許文献１のファクシミリ装置は、ＳＤメモリカードに予め実画像データとサムネイル画像とを対応付けて記憶可能に構成し、このＳＤメモリカードからサムネイル画像のみを読み出して液晶ディスプレイに表示可能に構成されている。また、特許文献２のファクシミリ装置は、ポーリングのための実画像データとサムネイル表示用の画像データを対応付けて記憶可能に構成されている。そして、通信先の相手側からサムネイル画像の要求があったときには、サムネイル画像を配置したページ画像を生成し、相手先に送信する。
【特許文献１】特開２００２−７７５７９号公報
【特許文献２】特開２００６−１０１４２０号公報
【発明の開示】
【発明が解決しようとする課題】
【０００４】
上記のような画像処理装置では、取り扱う実画像のデータサイズは近年の高画質化の要請により益々増大しており、サムネイル画像の作成のための計算コストは増加している。一方で、ユーザが自分の目的等に応じて、表示器に一度に表示するサムネイル画像の枚数、及び各サムネイル画像の縮小率等を指示することができれば便利である。
【０００５】
しかしながら、サムネイルを作成し、当該サムネイル画像データを表示器に転送して表示させる処理について、特許文献１及び特許文献２には具体的な開示がされていない。
【０００６】
本発明は以上の事情に鑑みてなされたものであり、その目的は、サムネイル画像を作成し、当該サムネイル画像を表示器に転送して表示させる処理に必要な時間を短縮可能な画像処理装置を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の画像処理装置が提供される。即ち、この画像処理装置は、画像縮小部と、符号変換部と、記憶部と、表示器と、表示制御部と、転送部と、変換部と、を備える。画像縮小部は、画像データから縮小画像データを作成する。符号変換部は、前記縮小画像データから縮小画像ファイルを作成する。記憶部は、前記縮小画像ファイルと、前記画像データから作成される実画像ファイルとを関連付けて記憶する。表示器は、前記縮小画像ファイルの内容を表示できるように構成されている。表示制御部は、前記表示器を制御する。転送部は、前記記憶部から読み出した前記縮小画像ファイルを前記表示制御部に転送する。変換部は、前記表示制御部に転送された前記縮小画像ファイルの内容を前記表示器に表示するために、信号を変換する。
【０００９】
これにより、特別に表示器を制御する表示制御部が転送部を介して接続されるので、処理の負荷を分散することができる。また、縮小部によって縮小された縮小画像データが転送部によって表示制御部へ転送されるので、転送データ量を小さくして転送時間を短縮できるとともに、転送部の通信の負荷も軽減される。
【００１０】
前記の画像処理装置においては、転送された前記縮小画像ファイルの内容を更に縮小して表示するための表示画像縮小部を備えることが好ましい。
【００１１】
これにより、縮小画像ファイルの内容を表示器に表示する際に、用途及び状況等に応じて、更に縮小した状態で表示できる。また、画像縮小部によって一旦縮小された画像データを更に表示画像縮小部によって縮小するので、表示画像縮小部の処理負荷を軽減できる。
【００１２】
前記の画像処理装置においては、以下の構成であることが好ましい。即ち、前記表示画像縮小部は縮小後の画像サイズを変更できるように構成される。前記表示制御部は、前記表示画像縮小部により縮小された後の画像サイズに応じて、前記表示器に表示させる縮小画像の数を変更できる。
【００１３】
これにより、詳細を見る場合はサムネイル画像のサイズを大きくして表示器に表示させ、一覧して見たいときはサムネイル画像のサイズを小さくして多数表示させることによって、利用したい画像ファイルを効率的に見つけ出すことができる。
【００１４】
前記の画像処理装置においては、前記転送部はシリアルインタフェースで構成されることが好ましい。
【００１５】
これにより、転送速度の速いシリアルインタフェースを使用するので転送時間をより短縮できる。また、転送する画像のデータ量が多い場合でもデータの転送をスムーズに行うことができる。
【発明を実施するための最良の形態】
【００１６】
以下、本発明の好適な実施形態について図面を参照しながら説明する。図１は本発明の一実施形態に係るコピーファクシミリ複合機１０の電気的構成を示すブロック図である。
【００１７】
図１に示すように、本実施形態のコピーファクシミリ複合機（画像処理装置）１０は、マイクロプロセッシングユニット（ＭＰＵ）１１と、シンクロナスＤＲＡＭ（ＳＤＲＡＭ）１２と、フラッシュメモリ１３と、を備える。ＭＰＵ１１、ＳＤＲＡＭ１２及びフラッシュメモリ１３は、ローカルバス３０によって相互に接続されている。
【００１８】
ＭＰＵ１１は複合機１０の各部を制御する制御部であり、フラッシュメモリ１３に格納される各種プログラムを読み出して実行することによって、後述のファクシミリ機能、スキャン機能及びコピー機能等が実現される。また、前記ＳＤＲＡＭ１２は読込及び書込が可能なメモリであり、このプログラムを実行するワークエリアとして機能する。
【００１９】
また、ローカルバス３０にはスタティックＲＡＭ（ＳＲＡＭ）１４とモデム１５が接続されている。ＳＲＡＭ１４には短縮ダイヤル等の各種のユーザ設定を記憶可能であり、その記憶内容がバッテリによってバックアップされている。モデム１５は音声信号とデータ列とを相互変換する変復調装置としての機能を備えており、ネットワークコントロールユニット（ＮＣＵ）１６に接続されている。ＮＣＵ１６は公衆交換電話網（ＰＳＴＮ）８０へ接続され、相手先と通信することでファクシミリ機能が実現されている。
【００２０】
複合機１０はＰＣＩバス４０を備えており、前記ローカルバス３０は、本実施形態の画像処理を行うための集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）５０を介して、前記ＰＣＩバス４０に接続されている。前記ＭＰＵ１１は前記ＡＳＩＣ５０を介して、ＰＣＩバス４０に接続されている各種機器とデータのやり取りを行う。
【００２１】
ＡＳＩＣ５０には、アナログフロントエンド（ＡＦＥ）２４を介して電荷結合素子（ＣＣＤ）２５が接続されている。このＣＣＤ２５は図略の原稿読取部に備えられており、ＣＣＤ２５が読み取った原稿の画像データは、ＡＦＥ２４によってアナログ信号からデジタル信号に変換されてＡＳＩＣ５０に入力される。このＣＣＤ２５は三原色分解のためのカラーフィルタを備えており、カラー原稿を読み取ることが可能に構成されている。
【００２２】
また、ＡＳＩＣ５０には、画像メモリとして機能するＳＤＲＡＭ２６が接続されている。このＳＤＲＡＭ２６には、ＡＳＩＣ５０で符号化された画像データ等が格納される。
【００２３】
次にＡＳＩＣ５０について説明する。ＡＳＩＣ５０はプログラミングが可能なマイクロコンピュータであり、メモリコントロール部２１、画像処理部２２、コーデック２３、及び画像縮小部３１等を備えている。またＡＳＩＣは、図略のＡＳＩＣ制御部及びＤＭＡコントローラを備えている。このＡＳＩＣ制御部及びＤＭＡコントローラによって、メモリコントロール部２１、画像処理部２２、コーデック２３、及び画像縮小部３１等を制御するとともに、ローカルバス３０とＰＣＩバス４０との間のデータのやり取りを行う。
【００２４】
画像処理部２２は、前述のＣＣＤ２５から入力された多階調のＲＧＢ形式の画像データに対し、シェーディング補正、γ補正、エッジ強調処理等の画像処理を行う。そしてＲＧＢ形式の画像データは、ＡＳＩＣ５０が備える図略の色変換部によってＹＣＣ形式に変換される。
【００２５】
メモリコントロール部２１では、画像処理部２２の処理した画像データを受け付けて、印字方向と用紙方向とを合わせるための画像回転処理、いわゆるＮｉｎ１印刷等のための縮小処理等、ユーザの設定に従って様々な処理を行う。
【００２６】
コーデック２３は、ＭＨ、ＭＲ、ＭＭＲ、ＪＰＥＧ等の公知の圧縮形式で画像データを圧縮し、あるいは展開するように構成されている。このコーデック２３は、読み取った原稿の画像データをＪＰＥＧ形式の画像ファイルに圧縮（符号化）し、ＪＰＥＧ形式の画像ファイルを復号し、又はファクシミリ受信した画像データの復号等を行う。
【００２７】
画像縮小部３１は、ＬＣＤ１８に表示するサムネイル画像の元となる縮小画像データを作成する。そして、この縮小画像データはコーデック２３によって符号化され、この結果、縮小画像ファイルが作成される。なおサムネイル画像の作成及び表示については後述する。
【００２８】
ＰＣＩバス４０には、プリンタコントローラ１９及びネットワークボード２０等のオプションユニットが接続されている。プリンタコントローラ１９は複合機１０にプリンタ機能を付加し、複合機１０に接続される図略のパーソナルコンピュータ等から受信したページ記述言語（Ｐａｇｅ  Ｄｅｓｃｒｉｐｔｉｏｎ  Ｌａｎｇｕａｇｅ、ＰＤＬ）を解釈してラスターデータを生成し、複合機１０の備える図略の画像形成部から用紙にプリントできるようにするものである。ネットワークボード２０は複合機１０をネットワーク９０に接続可能にするためのものであり、ＴＣＰ／ＩＰプロトコルに従って他の機器との通信を行うことができるように構成される。このプリンタコントローラ１９及びネットワークボード２０によって、ネットワーク９０に接続される図略のパーソナルコンピュータからプリントデータを受信してプリントを行うネットワークプリント機能が実現されている。
【００２９】
また、ＰＣＩバス４０には、転送部としてのＵＳＢインタフェース（シリアルインタフェース）２７が接続されている。このＵＳＢインタフェース２７にはＵＳＢ機器が接続可能に構成されている。本実施形態の複合機１０では、ＵＳＢインタフェース２７に対し、表示器としての液晶表示器（ＬＣＤ）１８がサブシステム６０を介して接続されている。ＵＳＢインタフェース２７は図略のＵＳＢホストコントローラを備え、接続されるサブシステム６０が備える図略のファンクションコントローラと通信してＵＳＢ機器を稼動させる。
【００３０】
本実施形態のＵＳＢインタフェース２７はＵＳＢ２．０のＨｉｇｈ  Ｓｐｅｅｄモードに対応しており、この高速通信が可能なＵＳＢインタフェース２７を介して、サブシステム６０とＭＰＵ１１等との通信が行われる。
【００３１】
複合機１０は操作パネル１７を備え、この操作パネル１７はサブシステム６０に接続されている。前記操作パネル１７は操作の指示を伝達するためのテンキー、方向キー、スタートボタン、及びキャンセルボタン等の各種指定手段を有する。ユーザは、この各種指定手段を用いてコピー指示、ファクシミリ送信等の操作を行う。ＭＰＵ１１はサブシステム６０と通信することにより、操作パネル１７の操作内容を認識し、それに応じて様々な処理を行う。
【００３２】
ＬＣＤ１８は、赤、緑、青の光の強さをそれぞれ２５６段階で表し、それぞれの色を組み合わせることによって種々のカラー表示が可能となるＲＧＢ形式で構成されている。このＬＣＤ１８の表示画面には各種の操作の内容及び指示が文字、図形等によって表示される。
【００３３】
サブシステム６０はＣＰＵ等で構成されるマイクロコンピュータであり、このサブシステム６０によって前述のＬＣＤ１８が制御される。サブシステム６０は複合機１０本体側のＭＰＵ１１とＵＳＢインタフェース２７を介して通信して、ＬＣＤ１８に表示すべき内容等のデータをやり取りし、それに応じた種々の内容をＬＣＤ１８に表示する。
【００３４】
また、本実施形態のサブシステム６０は、サムネイル画像をＬＣＤ１８に表示するためのコーデック６１、変換部６２、及び表示画像縮小部６３を備えている。コーデック６１は、ＵＳＢインタフェース２７を介して転送されてくるサムネイル用の縮小画像ファイルを復号する。
【００３５】
表示画像縮小部６３は、ＡＳＩＣ５０側の画像縮小部３１によって縮小された縮小画像データを、必要に応じて更に縮小する。
【００３６】
そして、変換部６２は、復号した縮小画像データ（再縮小された縮小画像データ）をＬＣＤ１８に表示するために、データ形式の変換を行う。即ち、前記縮小画像ファイルは、輝度信号（Ｙ）と色差信号（Ｃｂ、Ｃｒ）によって色を表現するＹＣＣ方式で表現されている。一方、ＬＣＤ１８は前述したようにＲＧＢ形式で構成されており、画像を表示するためには画像データをＲＧＢ形式で入力する必要がある。このため、変換部６２は公知の演算処理を行って、前記縮小画像ファイルのＹＣＣ形式の画像データを、ＲＧＢ形式の表示用画像データに変換する。
【００３７】
次に図２を参照して、原稿をスキャンする際の縮小画像データの保存について説明する。図２は原稿読取時の制御を示すフローチャートである。
【００３８】
図２に示すように、複合機１０に対してユーザがスキャンを指示すると、図略の原稿読取部において、原稿の画像データがＣＣＤ２５によって読み取られる（Ｓ１０１）。そして、読み取られた画像データはＡＦＥ２４によってアナログデータからデジタルデータへ変換される（Ｓ１０２）。デジタルデータに変換された画像データは、ＡＳＩＣ５０を介してページメモリとしてのＳＤＲＡＭ２６に一時的に蓄積される（Ｓ１０３）。
【００３９】
次に、ＡＳＩＣ５０の画像処理部２２は、ＳＤＲＡＭ２６に記憶された画像データに対し、前述したシェーディング補正、γ補正、エッジ強調処理等の画像処理を行う（Ｓ１０４）。
【００４０】
Ｓ１０４の画像処理が終了すると、ＡＳＩＣ５０が備える画像縮小部３１によって、実画像データが１／４又は１／２のサイズに縮小され、縮小画像データが作成される（Ｓ１０５）。なお、縮小率を１／４又は１／２に固定することで、画像縮小処理の負荷が軽減され、短時間で縮小処理を実行できる。この処理で作成される縮小画像データは、後述するように、ＬＣＤ１８に表示するサムネイル画像を作成するための元データとして用いられる。
【００４１】
次に、前記実画像データ及び縮小画像データがコーデック２３により符号化され、ＪＰＥＧ形式の実画像ファイル及び縮小画像ファイルが作成される（Ｓ１０６）。このＪＰＥＧファイルにはヘッダ情報が組み込まれており、このヘッダ情報によって縮小画像ファイルと実画像ファイルとが関連付けられている。そして、この作成された実画像ファイルと縮小画像ファイルとがそれぞれ別ファイルとしてＳＤＲＡＭ２６に保存される（Ｓ１０７）。なお、縮小画像ファイルの符号化は、ＪＰＥＧ形式に限らず他の公知の画像形式によって行ってもよい。
【００４２】
次に図３を参照して、ファクシミリを受信した際の縮小画像データの保存について説明する。図３はファクシミリ受信時の制御を示すフローチャートである。
【００４３】
複合機１０のモデム１５がＰＳＴＮ８０を介してファクシミリを受信すると（Ｓ２０１）、画像データはＡＳＩＣ５０により、ＳＤＲＡＭ２６にバッファとして一時的に蓄積される（Ｓ２０２）。受信した画像データは、コーデック２３によって復号される（Ｓ２０３）。そして、ＡＳＩＣ５０が備える画像処理部２２によって、プリンタの解像度に合わせるために解像度変換が行われ、実画像データが作成される（Ｓ２０４）。
【００４４】
Ｓ２０４の解像度変換処理が行われた後、受信した画像データから縮小画像データが作成される（Ｓ２０５）。原稿読取時と同様に、縮小画像データは、元の画像データの１／４又は１／２のサイズで作成される。なお、ファクシミリで受信した画像データが白黒２値のデータである場合、当該画像データは、この縮小処理によって多値データ（グレースケール）に変換される。この多値化縮小処理を行うことによって、２値から２値への縮小処理を行った場合に比べて、ＬＣＤ１８でのサムネイル画像の表示内容の再現性を高めることができる。
【００４５】
次に、実画像データ及び縮小画像データから実画像ファイル及び縮小画像ファイルがそれぞれ作成される（Ｓ２０６）。本実施形態においては、実画像データはＭＭＲ形式で符号化され、縮小画像データはＪＰＥＧ形式で符号化される。そして、実画像ファイルと縮小画像ファイルはそれぞれ別のファイルとしてＳＤＲＡＭ２６に保存される（Ｓ２０７）。この場合も、縮小画像ファイルのヘッダ部分には、当該縮小画像ファイルを実画像ファイルと関連付けるための情報が記述される。
【００４６】
次に図４を参照して、ＬＣＤ１８側のフローについて説明する。図４はＬＣＤ１８にサムネイルを表示するための制御を示すフローチャートである。
【００４７】
ユーザが操作パネル１７を操作してサムネイル画像の表示を指示すると、複合機１０は、ＳＤＲＡＭ２６から縮小画像ファイルを読み出す（Ｓ３０１）。そして、ＵＳＢインタフェース２７側のＵＳＢホストコントローラと、サブシステム６０側のＵＳＢファンクションコントローラとが通信することによって、縮小画像ファイルがサブシステム側に転送される（Ｓ３０２、Ｓ３０３）。
【００４８】
縮小画像ファイルを受信したサブシステム６０は、当該サブシステム６０が備えるコーデック６１を用いて、縮小画像ファイルを復号して縮小画像データを取得する（Ｓ３０４）。こうして得られた縮小画像データは、必要な場合、表示画像縮小部６３によって更に縮小される（Ｓ３０５）。
【００４９】
表示用に更に縮小されたデータは、変換部６２によって、ＹＣＣ形式からＬＣＤ表示用のＲＧＢ形式に変換される（Ｓ３０６）。そして、変換された表示縮小画像データの内容がＬＣＤ１８に表示される（Ｓ３０７）。これによって、複合機１０のユーザは、表示されるサムネイル画像を参考にして所望の画像を操作パネル１７により選択し、プリント指示及びファクシミリ送信等を行うことができる。
【００５０】
また、本実施形態の複合機１０（サブシステム６０）は、ＬＣＤ１８に表示させるサムネイル画像の大きさ及び枚数をユーザの指示によって変更できるように構成されている。例えば、大きなサムネイル画像の横３枚、縦２枚の計６枚分の一覧をＬＣＤ１８に表示する状態と、小さなサムネイル画像の横５枚、縦３枚の計１５枚分の一覧をＬＣＤ１８に表示する状態と、に切り換えることができる。このサムネイル画像の大きさの切換は、図４のＳ３０５の処理で、表示画像縮小部６３による縮小率（縮小後の画像サイズ）を変更することにより実現することができる。
【００５１】
以上に示すように、本実施形態の複合機１０は、画像縮小部３１と、コーデック２３と、ＳＤＲＡＭ２６と、ＬＣＤ１８と、サブシステム６０と、ＵＳＢインタフェース２７と、変換部６２と、を備える。画像縮小部３１は、実画像データから縮小画像データを作成する。コーデック２３は、縮小画像データから縮小画像ファイルを作成する。ＳＤＲＡＭ２６には、前記縮小画像ファイルと、前記実画像データから作成する実画像ファイルとが関連付けて記憶される。ＬＣＤ１８は、縮小画像ファイルの内容を表示可能に構成されている。サブシステム６０はＬＣＤ１８を制御する。ＵＳＢインタフェース２７は、ＳＤＲＡＭ２６から読み出した縮小画像ファイルをサブシステム６０に転送する。変換部６２は、サブシステム６０に転送された縮小画像ファイルの内容をＬＣＤ１８に表示するために、信号を変換する。
【００５２】
この構成により、特別にＬＣＤ１８を制御するサブシステム６０がＵＳＢインタフェース２７を介して接続されるので、処理の負荷を分散でき、ＭＰＵ１１等の負荷を軽減することができる。また、画像縮小部３１によって縮小された縮小画像データがＵＳＢインタフェース２７によってサブシステム６０へ転送されるので、転送データ量を小さくして転送時間を短縮できるとともに、ＵＳＢインタフェース２７の通信の負荷も軽減される。
【００５３】
また、本実施形態の複合機１０は、転送された縮小画像ファイルの内容を更に縮小して表示するための表示画像縮小部６３を備える。
【００５４】
この構成により、縮小画像ファイルの内容をＬＣＤ１８に表示する際に、用途及び状況等に応じて、更に縮小した状態で表示できる。また、前記画像縮小部３１によって一旦縮小された画像データを更に表示画像縮小部６３によって縮小するので、実画像データを直接縮小する場合よりも表示画像縮小部６３の処理負荷を軽減できるとともに、サムネイル画像を短時間で表示できる。
【００５５】
また、本実施形態の複合機１０において、表示画像縮小部６３は縮小後の画像サイズを変更できるように構成される。また、サブシステム６０は、表示画像縮小部６３により縮小された後の画像サイズに応じて、ＬＣＤ１８に表示させる縮小画像の数を変更できる。
【００５６】
この構成により、画像の詳細を見たい場合はＬＣＤ１８に表示させるサムネイル画像のサイズを大きくし、一覧的に見たいときはサムネイル画像のサイズを小さくして多数表示させることによって、利用したい画像ファイルを効率的に見つけ出すことができる。
【００５７】
また、本実施形態の複合機１０において、縮小画像ファイルはＵＳＢインタフェース２７を介してサブシステム６０に転送されている。
【００５８】
この構成により、転送速度の速いシリアルインタフェースを使用するので転送時間をより短縮できる。また、転送する画像のデータ量が多い場合でもデータの転送をスムーズに行うことができる。
【００５９】
以上に本発明の好適な実施形態を説明したが、上記の構成は更に以下のように変更することができる。
【００６０】
上記実施形態は操作パネル１７によって各種操作を行う構成であるが、この構成に代えて、ＬＣＤ１８を公知のタッチパネル形式として、ＬＣＤ１８をタッチすることでも各種の操作を行うことができる構成に変更できる。また、ＬＣＤに代えて、ＥＬディスプレイ、プラズマディスプレイ等の他の形式の表示器に変更することができる。
【００６１】
上記実施形態では図２に示すように、原稿をスキャンした場合は、画像読取時に通常行われるシェーディング補正等の画像処理を画像処理部２２によって行った後に、画像の縮小処理が行われている（Ｓ１０４、Ｓ１０５）。しかしながら、この処理の順序を変更して、縮小画像処理を行った後に通常の画像処理を行う構成とすることもできる。
【００６２】
シェーディング補正等を行うためのＡＳＩＣと、縮小画像処理を行うためのＡＳＩＣを別々に備え、例えば図２のＳ１０４の処理とＳ１０５の処理を並列して行わせるように変更することができる。また、実画像データを符号化するためのコーデックと、縮小画像データを符号化するためのコーデックとを別々に備え、各画像データを並列的に符号化するように変更することができる。
【００６３】
上記実施形態は、白黒２値のファクシミリデータを受信して処理する構成であるが、この構成に代えて、カラーファクシミリを受信できる構成とすることもできる。この場合、ＡＳＩＣ５０の画像縮小部３１及びサブシステム６０の表示画像縮小部６３でカラーの縮小画像を作成するように構成すると、ＬＣＤ１８にカラーのサムネイル画像を表示することができる。
【００６４】
また、上記実施形態ではカラー原稿が読取できるＣＣＤ２５を備えているが、これに代えてモノクロＣＣＤを備える構成に変更することができる。
【００６５】
上記実施形態の構成は、コピーファクシミリ複合機１０に限らず、例えばコピー機能等を単独で備えるコピー装置、ファクシミリ装置、イメージスキャナ装置等にも適用できる。更に、表示器を備えるとともに、画像データを入力又は取得して当該データを取り扱うことが可能な画像処理装置であれば、上記実施形態の構成を適用することができる。
【図面の簡単な説明】
【００６６】
【図１】本発明の一実施形態に係るコピーファクシミリ複合機の電気的構成を示すブロック図。
【図２】原稿読取時に縮小画像ファイルを作成する制御を示すフローチャート。
【図３】ファクシミリ受信時に縮小画像ファイルを作成する制御を示すフローチャート。
【図４】縮小画像ファイルに基づいてサムネイル画像をＬＣＤに表示する制御を示すフローチャート。
【符号の説明】
【００６７】
１０  コピーファクシミリ複合機（画像処理装置）
１１  ＭＰＵ
１２  ＳＤＲＡＭ
１３  フラッシュメモリ
１４  ＳＲＡＭ
１７  操作パネル
１８  ＬＣＤ（表示器）
１９  プリンタコントローラ
２０  ネットワークボード
２１  メモリコントロール部
２２  画像処理部
２３  コーデック（符号変換部）
２６  ＳＤＲＡＭ（記憶部）
２７  ＵＳＢインタフェース（転送部、シリアルインタフェース）
３１  画像縮小部
５０  ＡＳＩＣ
６０  サブシステム（表示制御部）
６１  コーデック
６２  変換部
６３  表示画像縮小部
【図１】
2009118381.tif 000003
【図２】
2009118381.tif 000004
【図３】
2009118381.tif 000005
【図４】
2009118381.tif 000006